(57)【要約】      （修正有）【課題】照明と空気ろ過の機能を兼ね備えるろ過機能を備える照明具を提供する。【解決手段】ろ過機能を備える照明具には電球９００を設置でき、台体ユニット３、ランプシェードユニット４を備える。台体ユニット３は台本体３１、及び台本体３１上に設置して固定し、電球９００を電気的に連接して設置する導電台体３２を備える。ランプシェードユニット４は下向きに導電台体３２外を覆い、少なくとも１個の設置孔４１４を貫通状に設置する中空筒状カバー４１と、筒状カバー４１に設置し、外界の空気を設置孔４１４から筒状カバー４１内へと進入させるファン、及び筒状カバー４１に設置し、設置孔４１４を遮蔽し、通過した空気をろ過でき、光を透過できる少なくとも１個の空気フィルタ４２を備える。【選択図】図１
0003175723.tif 000002
【実用新案登録請求の範囲】
【請求項１】
電球が設置されると共に、台体ユニットと、ランプシェードユニットとを備える、ろ過機能を備える照明具であって、
前記台体ユニットは、台本体と、及び前記台本体上に設置して固定し、前記電球を電気的に連接して設置する導電台体とを備え、
前記ランプシェードユニットは、下向きに前記導電台体外を覆い、少なくとも１個の設置孔を貫通状に設置する中空の筒状カバーと、前記筒状カバーに設置し、外界の空気を前記設置孔から前記筒状カバー内へと進入させるファンと、及び少なくとも１個の前記筒状カバーに設置し、前記設置孔を遮蔽し、通過した空気をろ過でき、光を透過できる空気フィルタと、を備えることを特徴とするろ過機能を備える照明具。
【請求項２】
前記筒状カバーには、多数の設置孔を貫通状に設置し、前記導電台体上方に位置する頂点壁と、及びそれぞれ前記頂点壁周縁から下方へと突出し、しかも相互に連接し、前記導電台体に対応して周囲を取り囲む多数の直立枠壁とを備え、しかも、前記各直立枠壁は、水平方向の設置孔をそれぞれ区画し、前記頂点壁は、上下に貫通する気孔を備え、
前記ファンは、前記気孔中に設置して固定し、
前記ランプシェードユニットは、多数の空気フィルタを備え、しかも前記各空気フィルタは、それぞれ取り外し可能に前記各直立枠壁に設置して固定し、前記設置孔を遮蔽することを特徴とする請求項１に記載のろ過機能を備える照明具。
【請求項３】
前記台本体は、ベース部と、前記ベース部頂点面から上方へと突出する環状の凸環状部と、前記凸環状部外周面に突出状に設置する搭載部とを備え、前記導電台体は、前記ベース部頂点面に設置して固定し、前記凸環状部に取り囲まれ、前記筒状カバーは、前記搭載部上に設置されることを特徴とする請求項１に記載のろ過機能を備える照明具。
【請求項４】
前記各空気フィルタはそれぞれ、前記設置孔中に嵌めて固定する周囲枠と、及び前記周囲枠中に設置して固定し、光を透過可能なろ過膜とを備えることを特徴とする請求項２に記載のろ過機能を備える照明具。
【請求項５】
前記各直立枠壁はそれぞれ、前記導電台体に隣接する内側縁により相互に連接することを特徴とする請求項２に記載のろ過機能を備える照明具。
【請求項６】
前記ランプシェードユニットはさらに、前記気孔位置に設置し、しかも前記ファン上方を遮蔽する多孔状保護ネットを備えることを特徴とする請求項２に記載のろ過機能を備える照明具。
【請求項７】
前記ろ過膜は、連続して屈折し延伸し、前記周囲枠中に固定することを特徴とする請求項４に記載のろ過機能を備える照明具。
【請求項８】
前記ろ過膜上には、光触媒コーティング層を設け、これにより殺菌することを特徴とする請求項４に記載のろ過機能を備える照明具。
【請求項９】
前記空気フィルタは、プリーツ式であることを特徴とする請求項１に記載のろ過機能を備える照明具。
【考案の詳細な説明】
【技術分野】
【０００１】
本考案は照明具に関し、特に照明と空気ろ過の機能を兼ね備える、ろ過機能を備える照明具に関する。
【背景技術】
【０００２】
家電製品は日に日に多様化している。一方、照明には照明具を購入する必要があり、空気の質を高めるには空気清浄機等を購入しなければならない。これら電気製品はみな、単一機能しか備えないため、一般の家庭環境には、各種電気製品がたくさん存在する。
【０００３】
現在、照明具と空気清浄機を結合した装置には特許文献１に開示する「空気清淨装置」がある。前記特許文献１は光源により光を照射し、及びフィルタにより消臭し、空気中の浮遊微粒子をろ過することができる。しかし、その構造は比較的複雑で、しかもフィルタの交換が容易ではないため、長く使用すると、ろ過効果が落ち、空気を清浄に保つことができなくなる。
【０００４】
また、特許文献２ではランプ台体側面に、光触媒紙を使用する。しかし、光触媒紙は使用において破損し易い。しかも、ランプ台体上方にはフィルタ及びファンを備えないため、ファンの回転により、外部の汚れた空気を空気清浄機内に引き入れ、フィルタにより、汚れた空気中の浮遊微粒子をろ過し、殺菌及び除臭の効果を達成することはできない。
本考案は、従来のろ過機能を備える照明具の上記した欠点に鑑みてなされたものである。
【先行技術文献】
【特許文献】
【０００５】
【特許文献１】日本特開平１０−０３３６５３号公報
【特許文献２】日本特開２００２−９５７２４号公報
【考案の概要】
【考案が解決しようとする課題】
【０００６】
本考案が解決しようとする課題は、照明と空気清浄の機能を兼ね備える照明具であるろ過機能を備える照明具を提供することである。
【課題を解決するための手段】
【０００７】
上記課題を解決するため、本考案は下記のろ過機能を備える照明具を提供する。
ろ過機能を備える照明具は、電球を設置でき、台体ユニット、ランプシェードユニットを備え、該台体ユニットは、台本体、及び該台本体上に設置して固定し、該電球を電気的に連接して設置する導電台体を備え、該ランプシェードユニットは、下向きに該導電台体外を覆い、少なくとも１個の設置孔を貫通状に設置する中空の筒状カバー、該筒状カバーに設置し、外界の空気を、該設置孔から該筒状カバー内へと進入させるファン、及び該筒状カバーに設置し、該設置孔を遮蔽し、通過した空気をろ過でき、光を透過できる少なくとも１個の空気フィルタを備えることを最も特徴とする。
【考案の効果】
【０００８】
本考案のろ過機能を備える照明具は、ランプシェードユニットに光を透過可能で、しかも空気をろ過可能な空気フィルタを設置する構造設計により、従来の照明機能を備える他、空気をろ過して浄化する効果を兼ね備え、周囲の空気中の有害浮遊物をろ過して除去することができるという効果を奏する。
【図面の簡単な説明】
【０００９】
【図１】本考案ろ過機能を備える照明具実施例の立体分解図である。
【図２】電球後側に相対する空気フィルタを図示しない本考案ろ過機能を備える照明具実施例の右側視断面図である。
【考案を実施するための形態】
【００１０】
以下に図面を参照しながら本考案を実施するための最良の形態について詳細に説明する。
【００１１】
図１、２に示すように、本考案ろ過機能を備える照明具の実施例には、電球900を設置し、照明として使用することができる。照明具は、台体ユニット3、及び取り外し可能状に台体ユニット3上に設置するランプシェードユニット4を備える。
【００１２】
台体ユニット3は、台本体31、及び台本体31上に設置して固定し、電球900を電気的に連接して設置する導電台体32を備える。台本体31は、ベース部311、ベース部311頂点面から上方へと突出する環状の凸環状部312、径方向に凸環状部312外周面に突出状に設置する環状搭載部313を備える。導電台体32は、ベース部311頂点面に設置して固定し、凸環状部312内側に位置する。しかも、延伸して、ベース部311外へ抜け出る電源線321、及びベース部311前側面に露出するスイッチ322を備える。
【００１３】
ランプシェードユニット4は、開口部が下向きで台本体31上を覆って設置する中空筒状カバー41、取り外し可能状に筒状カバー41上に嵌合して固定する多数の空気フィルタ42、筒状カバー41上に設置して固定し、しかも導電台体32に電気的に連接するファン43、筒状カバー41上に設置し、ファン43上方を覆って設置する多孔状保護ネット44を備える。空気フィルタ42は、プリーツ式である。
【００１４】
筒状カバー41は、間隔を開けて導電台体32上方に位置する頂点壁411、及びその頂点縁によりそれぞれ頂点壁411周縁に固定して接続し、導電台体32に対応して周囲を取り囲む多数の周囲を取り囲む形状の直立枠壁413を備える。頂点壁411は、上下に貫通する気孔412を備える。各直立枠壁413は、それぞれ導電台体32に隣接する内側縁により順番につながり、搭載部313頂点面に重なって位置を限定する。これにより、筒状カバー41底端の開口は、台本体31により封鎖され、しかも各直立枠壁413は、水平方向の設置孔414をそれぞれ区画する。
【００１５】
各空気フィルタ42は、各設置孔414中にそれぞれ嵌合して固定し、各設置孔414を完全に遮蔽する。各空気フィルタ42は、直立枠壁413内壁面に嵌合して接触する取り囲む形状の周囲枠421、及び連続して屈折し延伸して周囲枠421中に固定するろ過膜422を備える。
ろ過膜422は、プリーツ式である。
【００１６】
本実施例中では、ろ過膜422は、光を透過するHEPAろ過材を用いて製造し、空気中のほこり、ダニの排泄物等の有害浮遊物をろ過することができる。但し実施時には、活性炭フィルタ、不織布フィルタ等の光を透過する他のろ過材料を用いて製造することができる。しかも、実施時には、ろ過膜422上には、光触媒、或いは他の殺菌機能を備えるコーティング層(図示なし)を塗布することができ、これにより本考案に殺菌機能を備えさせることができる。
【００１７】
ファン43は、頂点壁411の気孔412中に設置して固定し、起動されることで、筒状カバー41中において負圧を生じる。こうして、外界の空気を、各ろ過膜422を通して、筒状カバー41中へと進入させ、空気のろ過を行う。保護ネット44は、気孔412位置に嵌めて固定し、異物或いは使用者の指がファン43に直接接触しないよう、ファン43上方を遮蔽する。
【００１８】
本考案ろ過機能を備える照明具の使用時には、スイッチ322をオンにする方式により、電球900を点灯し、ファン43を起動する。この時、ファン43は、筒状カバー41内の空気を、外へと吸い出し、筒状カバー41内には、負圧現象を形成する。これにより、外界の空気は、内へ向かい、各空気フィルタ42を通過して、筒状カバー41中へと入る。こうして、空気中の有害浮遊物をろ過して除去することができる。ろ過後の清浄な空気は、上方へ向かい、ファン43を経て排出され、空気淨化の目的を達成する。しかも、もし各空気フィルタ42のろ過膜422上に、光触媒等の殺菌可能なコーティング層を塗布してある場合には、さらに殺菌機能を備え、こうしてろ過膜422における細菌の繁殖を防止することができる。
【００１９】
空気フィルタ42をある一定の期間使用し、ろ過殺菌効果が落ちてきた時には、空気フィルタ42を一つ一つ直立枠壁413から取り外し、新しい空気フィルタ42を取り付ければ、すぐに繰り返し使用することができる。
【００２０】
本実施例中では、筒状カバー41には、４個の設置孔414を設置する。よって、計４個の空気フィルタ42を設置する。但し、実施時には、設置孔414と空気フィルタ42の数は共に、これに限定するものではない。しかも、ファン43も、筒状カバー41頂点壁411に設置するとは限らない。この他、台本体31の形状も、上記した実施例に限定するものではない。
【００２１】
上記したように、ランプシェードユニット4に設置し、光を透過し、しかも空気をろ過可能な空気フィルタ42の構造設計により、本考案照明具は、電球900を設置し、従来の照明機能を発揮することができる他、空気をろ過して浄化する効果を備え、周囲の空気中の有害浮遊物をろ過して除去することができ、空気フィルタ42に、光触媒等の殺菌コーティング層の設計を塗布することで、さらに殺菌機能をも備え、ろ過膜422での細菌繁殖を抑えることができる。しかも、空気フィルタ42のろ過効果が落ちた時には、空気フィルタ42を取り外して交換する方式により、照明具の空気ろ過の機能を回復させることができ、非常に便利で実用的である。よって、本考案の目的を確実に達成することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
3：台体ユニット、31：台本体、311：ベース部、312：凸環状部、313：搭載部、32：導電台体、321：電源線、322：スイッチ、4：ランプシェードユニット、41：筒状カバー、411：頂点壁、412：気孔、413：直立枠壁、414：設置孔、42：空気フィルタ、421：周囲枠、422：ろ過膜、43：ファン、44：保護ネット、900：電球。
【図１】
0003175723.tif 000003
【図２】
0003175723.tif 000004